(57)【要約】      （修正有）【課題】野縁受けを野縁上に確実に固定できる野縁吊持用クリップを提供する。【解決手段】野縁受け２３の背面側に配置され、下端部に野縁２４Ａの両リップ２４ｃ，２４ｃ裏面側に係合する係合凸部を有する立板３と、立板３上端から野縁受け２３の上部フランジ２３ｂに当接して先方に延設され、その先方延設部を下向きに折り曲げることで野縁受け２３に係止される水平板とからなる第１クリップ１Ａ、及び野縁受け２３の溝開口２３ｏ側に配置され、下端部に野縁２４Ａの両リップ２４ｃ，２４ｃ裏面側に係合する係合凸部を有する立板１３と、立板１３の上端から、野縁受け２３の上部フランジ２３ｂに当接された第１クリップ１Ａの水平板上面に当接して先方に延設され、その先方延設部１４ｏを下向きに折り曲げることで第１クリップ１Ａを把持して野縁受け２３に係止される水平板１４とを備えた第２クリップ１Ｂから構成される。【選択図】図２
0003181768.tif 000002
【実用新案登録請求の範囲】
【請求項１】
溝開口を横向きにした溝形材からなる野縁受けの下面に当接してこれと直交するように配置される、溝開口を上向きにしたリップ溝形材からなる野縁を野縁受けに吊持するための野縁吊持用クリップであって、
野縁受けのウエブ背面側又は溝開口側に配置され、下端部に野縁の両リップ裏面側に係合する係合凸部を有する立板と、立板の上端から野縁受けの上部フランジに当接して先方に延設され、その先方延設部を下向きに折り曲げることにより野縁受けに係止される水平板とからなる第１クリップ、及び
野縁受けの溝開口側に又はウエブ背面側にウエブを挟んで第１クリップの立板と対向する位置に配置され、下端部に野縁の両リップ裏面側に係合する係合凸部を有する立板と、立板の上端から、野縁受けの上部フランジに当接された第１クリップの水平部上面に当接して先方に延設され、その先方延設部を第１クリップの立板と水平板との外隅部から下向きに折り曲げることにより第１クリップを把持した状態で野縁受けに係止される水平板とを備えた第２クリップによって構成される野縁吊持用クリップ。
【請求項２】
第１クリップを厚みの薄い鋼板によって形成し、第２クリップを第１クリップより厚みの厚い鋼板によって形成してなる請求項１に記載の野縁吊持用クリップ。
【請求項３】
厚みの薄い第１クリップには、水平板の折り曲げを容易にするために、水平板の先端側が切欠開口する１つ又は複数の切欠開口部を水平板の所要部に形成し、第１クリップより厚みの厚い第２クリップには、水平板の折り曲げを容易にするための１つ又は複数の窓開口部を水平板の所要部に形成してなる請求項２に記載の野縁吊持用クリップ。
【請求項４】
第１クリップ及び第２クリップを夫々同じ厚みの鋼板によって形成してなる請求項１に記載の野縁吊持用クリップ。
【請求項５】
第１クリップ及び第２クリップには夫々の水平板の所要部に、折り曲げを容易にするための窓開口部を一つ又は複数形成してなる請求項４に記載の野縁吊持用クリップ。
【考案の詳細な説明】
【技術分野】
【０００１】
本考案は、天井下地の施工にあたって野縁を野縁受けに吊持するための野縁吊持用クリップに関する。
【背景技術】
【０００２】
図９は天井下地構造を図示したもので、吊りボルト２０が上端部を天井スラブ（図示せず）に螺挿して垂下状態に保持され、この吊りボルト２０の下部に取り付けた吊りハンガー２２によって野縁受け２３が支持されると共に、この野縁受け２３に嵌挿したクリップ２５Ａ，２５Ｂを介して野縁２４Ａ，２４Ｂが吊持され、この野縁２４Ａ，２４Ｂに天井板（図示せず）が取り付けられる。尚、野縁２４Ａは、幅の狭い、例えば２５ｍｍ幅の、通称シングル野縁であり、野縁２４Ｂは、幅がシングル野縁２４Ａの２倍と広く、例えば５０ｍｍである通称ダブル野縁である。また、野縁受け２３は、図１０の(a) に示すように、ウエブ２３ａとフランジ２３ｂ，２３ｂとからなる溝形材で、その溝開口を横向きにして使用される。野縁２４Ａ，２４Ｂ（図２，図５参照）は、底壁２４ａと両側壁２４ｂ，２４ｂとリップ２４ｃ，２４ｃとからなるリップ付き溝形材であり、使用にあたって、開口部を上向きにした状態で、野縁受け２３の下面に当接してこれと直交するように配置される。
【０００３】
図１０の(a) は従来のシングル野縁２４Ａ用のクリップ２５Ａを示す斜視図、(b) は取付状態の斜視図、(c) は取付状態の断面図である。このクリップ２５Ａは、厚みが例えば０．６ｍｍの鋼板によって形成されたもので、野縁受け２３のウエブウエブ２３ａ背面に沿って配置され、下端部に野縁２４Ａの両リップ２４ｃ，２４ｃ裏面側に係合する係合凸部２６，２６を有する立板２７と、この立板２７の上端から野縁受け２３の上部フランジ２３ｂに当接して先方に延設され、その先方延設部２８ｏを上部フランジの先端から下向きに折り曲げることにより野縁受け２３に係止される水平板２８とからなる。
【０００４】
しかして、クリップ２５Ａの使用にあたり、図１０の(b) ，(c) に示すように、立板２６の下端部分を野縁２４Ａ内に挿入して、両係合凸部２６，２６を野縁２４Ａの両リップ２４ｃ，２４ｃに下方より係合させ、立板２７を野縁受け２３のウエブ２３ａ背面に添わせた状態で、水平板２８を野縁受け２３の上部フランジ２３ｂに当接させて、その先方延設部２８ｏを上部フランジ２３ｂの先端から下向きに折り曲げることによって、野縁受け２３に係止させた状態としている。
【考案の概要】
【考案が解決しようとする課題】
【０００５】
従来では、上記のように野縁２４Ａに対し片側からクリップ２５Ａを掛けるだけであるため、地震発生時に野縁２４Ａ及び野縁受け２３が振動すると、野縁受け２３が倒れて野縁２４Ａとの接合が外れ易く、野縁２４Ａが落下する事態をまねくおそれがあった。そこで、本考案は、野縁受けが倒れないように野縁受けを野縁上に確実に固定させて、野縁を野縁受けに強力に保持できる野縁吊持用クリップを提供することを目的とする。
【課題を解決するための手段】
【０００６】
上記課題を解決するための手段を、後述する実施形態の参照番号を付して説明すると、請求項１は、溝開口２３ｏを横向きにした溝形材からなる野縁受け２３の下面に当接してこれと直交するように配置される、溝開口２３ｏを上向きにしたリップ溝形材からなる野縁２４Ａ，２４Ｂを野縁受け２３に吊持するための野縁吊持用クリップであって、
野縁受け２３のウエブ２３ａ背面側又は溝開口２３ｏ側に配置され、下端部に野縁２４Ａ，２４Ｂの両リップ２４ｃ，２４ｃ裏面側に係合する係合凸部２，２を有する立板３と、立板３の上端から野縁受け２３の上部フランジ２３ｂに当接して先方に延設され、その先方延設部４ｏを下向きに折り曲げることにより野縁受け２３に係止される水平板４とからなる第１クリップ１Ａ，１１Ａ，２１Ａ，３１Ａ及び
野縁受け２３の溝開口２３ｏ側に又はウエブ２３ａ背面側にウエブ２３ａを挟んで第１クリップ１Ａ，１１Ａ，２１Ａ，３１Ａの立板３と対向する位置に配置され、下端部に野縁２４Ａ，２４Ｂの両リップ２４ｃ，２４ｃ裏面側に係合する係合凸部１２，１２を有する立板１３と、立板１３の上端から、野縁受け２３の上部フランジ２３ｂに当接された第１クリップ１Ａの水平板４上面に当接して先方に延設され、その先方延設部１４ｏを第１クリップ１Ａ，１１Ａ，２１Ａ，３１Ａの立板３と水平板４との外隅部Ｋから下向きに折り曲げることにより第１クリップ１Ａ，１１Ａ，２１Ａ，３１Ａを把持した状態で野縁受け２３に係止される水平板１４とを備えた第２クリップ１Ｂ，１１Ｂ，２１Ｂ，３１Ｂによって構成されることを特徴とする。
【０００７】
請求項２は、請求項１に記載の野縁吊持用クリップにおいて、第１クリップ１Ａ，１１Ａ，２１Ａ，３１Ａを厚みの薄い鋼板によって形成し、第２クリップ１Ｂ，１１Ｂ，２１Ｂ，３１Ｂを第１クリップ１Ａ，１１Ａ，２１Ａ，３１Ａより厚みの厚い鋼板によって形成してなることを特徴とする。
【０００８】
請求項３は、請求項２に記載の野縁吊持用クリップにおいて、厚みの薄い第１クリップ１Ａ，１１Ａ，２１Ａ，３１Ａには、水平板４の折り曲げを容易にするために、水平板４の先端側が切欠開口する１つ又は複数の切欠開口部５を水平板４の所要部に形成し、第１クリップ１Ａ，１１Ａ，２１Ａ，３１Ａより厚みの厚い第２クリップ１Ｂ，１１Ｂ，２１Ｂ，３１Ｂには、水平板１４の折り曲げを容易にするための１つ又は複数の窓開口部１５を水平板１４の所要部に形成してなることを特徴とする。
【０００９】
請求項４は、請求項１に記載の野縁吊持用クリップにおいて、第１クリップ１Ａ，１１Ａ，２１Ａ，３１Ａ及び第２クリップ１Ｂ，１１Ｂ，２１Ｂ，３１Ｂを夫々同じ厚みの鋼板によって形成したことを特徴とする。
【００１０】
請求項５は、請求項４に記載の野縁吊持用クリップにおいて、第１クリップ１Ａ，１１Ａ，２１Ａ，３１Ａ及び第２クリップ１Ｂ，１１Ｂ，２１Ｂ，３１Ｂには夫々の水平板４，１４の所要部に、折り曲げを容易にするための窓開口部１５を一つ又は複数形成してなることを特徴とする。
【考案の効果】
【００１１】
上記解決手段による考案の効果を、後述する実施形態の参照番号を付して説明すると、請求項１に係る考案の野縁吊持用クリップによれば、第１クリップ１Ａ，１１Ａ，２１Ａ，３１Ａと第２クリップ１Ｂ，１１Ｂ，２１Ｂ，３１Ｂとが野縁受け２３を挟んで互いに抱き合わさって、野縁受け２３を締め付けた状態となるから、野縁受け２３はこれと直交する野縁２４Ａ上に堅固に固定され、従って地震発生時に野縁受け２３及び野縁２４Ａ，２４Ｂが激しく振動しても、野縁受け２３は倒れにくく、野縁２４Ａ，２４Ｂが落下するようなことがなく、天井下地の耐震強度を高めることができる。
【００１２】
請求項２に係る考案の野縁吊持用クリップによれば、第１クリップ１Ａ，１１Ａ，２１Ａ，３１Ａを厚みの薄い鋼板で形成し、第２クリップ１Ｂ，１１Ｂ，２１Ｂ，３１Ｂを第１クリップ１Ａ，１１Ａ，２１Ａ，３１Ａよりも厚みの厚い鋼板で形成することにより、第１クリップ１Ａ，１１Ａ，２１Ａ，３１Ａは、第２クリップ１Ｂ、１１Ｂ，２１Ｂ，３１Ｂに比べて、水平板４，１４での折り曲げ作業が容易となり、また製品コストも安く、施工費の低減化を図ることができる。一方、第２クリップ１Ｂ、１１Ｂ，２１Ｂ，３１Ｂは、第１クリップ１Ａ，１１Ａ，２１Ａ，３１Ａに比べて曲げ強度が大きいため、強度的には劣る厚みの薄い第１クリップ１Ａ，１１Ａ，２１Ａ，３１Ａに抱き合わせても、十分に頑強なクリップ１，１１，２１，３１を形成することができる。
【００１３】
請求項３に係る考案の野縁吊持用クリップのように、厚みの薄い第１クリップ１Ａ，１１Ａ，２１Ａ，３１Ａには、水平板４の先端側が切欠開口する１つ又は複数の切欠開口部５を形成することによって、先方延設部４ｏを手指で容易に折り曲げることができ、また厚みの厚い第２クリップ１Ｂ，１１Ｂ，２１Ｂ，３１Ｂには、１つ又は複数の窓開口部１５を形成することで、先方延設部１４ｏを手指でも容易に折り曲げることができる。
【００１４】
請求項４に係る考案の野縁吊持用クリップのように、第１クリップ１Ａ，１１Ａ，２１Ａ，３１Ａと第２クリップ１Ｂ，１１Ｂ，２１Ｂ，３１Ｂとを同じ厚みの鋼板で形成すれば、第１クリップ１Ａ，１１Ａ，２１Ａ，３１Ａと第２クリップ１Ｂ，１１Ｂ，２１Ｂ，３１Ｂとを互いに抱き合わせることにより、きわめて頑強なクリップ２１，３１を形成できて、その耐震強度を大幅に高めることができる。
【００１５】
請求項５に係る考案の野縁吊持用クリップように、第１クリップ１Ａ，１１Ａ，２１Ａ，３１Ａ及び第２クリップ１Ｂ，１１Ｂ，２１Ｂ，３１Ｂを夫々同じ厚みの鋼板で形成した場合で、これら第１及び第２の両クリップが、板厚が例えば１ｍｍ以上で、手で折り曲げることが困難な鋼板からなる場合には、水平板４，１４の夫々の所要部に窓開口部１５を一つ又は約数形成することによって、その先方延設部４ｏ，１４ｏを手で容易に折り曲げることができる。
【図面の簡単な説明】
【００１６】
【図１】本考案に係るシングル野縁用の薄型第１クリップ及び厚型第２クリップを示す斜視図である。
【図２】同上のクリップの使用状態を示す斜視図である。
【図３】(a) は図２のＡ−Ａ線断面図、(b) は(a) のＢ−Ｂ線断面図である。
【図４】本考案に係るダブル野縁用の薄型第１クリップ及び厚型第２クリップを示す斜視図である。
【図５】同上のクリップの使用状態を示す斜視図である。
【図６】(a) は図５のＡ−Ａ線断面図、(b) は(a) のＤ−Ｄ線断面図である。
【図７】(a) は本考案に係るシングル野縁用の厚型第１クリップ及び厚型第２クリップを示す斜視図、(b) はダブル野縁用の厚型第１クリップ及び厚型第２クリップを示す斜視図である。
【図８】図７に示す第１クリップ及び第２クリップの使用状態の断面図である。
【図９】天井下地構造を示す斜視図である。
【図１０】(a) は従来の野縁吊持用クリップを示す斜視図、(b) は同クリップの使用状態を示す斜視図、(c) は同使用状態の断面図である。
【考案を実施するための形態】
【００１７】
以下に本考案の好適な実施形態について図面を参照しながら説明すると、図１は本考案に係る野縁吊持用クリップ１を示し、図２はその使用状態を示す。この野縁吊持用クリップ１は、幅寸法が例えば２５ｍｍのシングル野縁２４Ａに使用される薄型の第１クリップ１Ａと厚型の第２クリップ１Ｂとからなる。シングル野縁２４Ａ用の薄型第１クリップ１Ａは、例えば厚みが０．６ｍｍの鋼板によって形成されたもので、図１及び図２に示すように、野縁受け２３のウエブ２３ａの背面に沿って配置され、下端部にシングル野縁２４Ａの両リップ２４ｃ，２４ｃ裏面側に係合する係合凸部２，２を有する立板３と、この立板３の上端から野縁受け２３の上部フランジ２３ｂに当接して先方に延設され、その先方延設部４ｏを上部フランジ２３ｂの先端から下向きに折り曲げることによって野縁受け２３に係止される水平板４とからなる。そしてこの薄型第１クリップ１Ａには、水平板４の折り曲げを容易にするために、水平板４の先端側が切欠開口する１つの切欠開口部５が水平板４の幅方向中央部に形成され、また水平板４の両側端部の夫々中央部に切欠部６が形成されている。尚、立板３にはその外側面に隆起する補強リブ３ａが形成されている。
【００１８】
また図１及び図２に示すように、シングル野縁２４Ａ用の厚型第２クリップ１Ｂは、例えば厚みが１．２ｍｍの鋼板によって形成されたもので、図２から分かるように、野縁受け２３の溝開口２３ｏ側にウエブ２３ａを挟んで第１クリップ１Ａの立板３と対向する位置に配置され、下端部にシングル野縁２４Ａの両リップ２４ｃ，２４ｃ裏面側に係合する係合凸部１２，１２を有する立板１３と、この立板１３の上端から、野縁受け２３の上部フランジ２３ｂに当接された第１クリップ１Ａの水平板４の上面に当接して先方に延設され、その先方延設部１４ｏを、第１クリップ１Ａの立板３と水平板４との外隅部から下向きに折り曲げることによって第１クリップ１Ａを把持した状態で野縁受け２３に係止される水平板１４とからなる。そしてこの厚型第２クリップ１Ｂには、水平板１４の折り曲げを容易にするための大きな窓開口部１５が水平板１５の中央部に一つ形成され、また水平板１４の両側端部の夫々中央部に切欠部１６が形成されている。また、立板１３にはその外側面に隆起する補強リブ１３ａが形成されている。
【００１９】
上記のように構成される野縁吊持用クリップ１を使用してシングル野縁２４Ａを野縁受け２３に吊持するには、先ず、薄型第１クリップ１Ａの立板３下端部をシングル野縁２４Ａ内に挿入し、その下端部両側にある係合凸部２，２を、野縁２４Ａの両リップ２４ｃ，２４ｃ裏面側に係合させ、立板３を野縁受け２３のウエブ２３ａ背面に添わせた状態で、水平板４を野縁受け２３の上部フランジ２３ｂに当接させて、その先方延設部４ｏを上部フランジ２３ｂ先端から下向きに手で折り曲げることにより野縁受け２３に係止させる。この時、水平板４には、その全体が平面視略Ｕ字状を成すように切欠開口部５が水平板４の幅方向中央部に形成され、更に水平板４の両側端部の夫々中央部に切欠部６が形成されているから、水平板４の折り曲げ箇所は、切欠開口部５の両側の残り幅部分ａ，ａ（図１参照）が細くなって、先方延設部４ｏを手指で容易に折り曲げることができる。折り曲げる角度は、９０°以上で、図３の(b) に示すように、野縁受け２３の上部フランジ２３ｂ下面に出来るだけ近づく角度とする。
【００２０】
その後、厚型第２クリップ１Ｂを、野縁受け２３のウエブ２３ａを挟んでその反対側にある溝開口２３ｏ側に配して、立板１３の下端部をシングル野縁２４Ａ内に挿入し、その下端部両側にある係合凸部１２，１２を、野縁２４Ａの両リップ２４ｃ，２４ｃ裏面側に係合させて、水平板１４を、既に野縁２４Ａの上部フランジ２３ｂに当接されている第１クリップ１Ａの水平板４上面に当接させた状態で、その先方延設部１４ｏを、第１クリップ１Ａの立板３と水平板４との外隅部Ｋ（図３の(b) 参照）のところから下向きに折り曲げることにより第１クリップ１Ａを把持した状態で野縁受け２３に係止させ、それにより第１クリップ１Ａと第２クリップ１Ｂとを図３の(b) に示すように抱き合わせて締め付けた状態にする。
【００２１】
厚型第２クリップ１Ｂも水平板１４には、この水平板１４の折り曲げを容易にするための一つの窓開口部１５が水平板１４の中央部に開口形成され、更に水平板１４の両側端部の夫々中央部に切欠部１６が形成されているから、工具等を使わず、手で容易に折り曲げることができる。折り曲げる角度は、図３の(b) には６０°〜８０°に図示しているが、出来るだけ第１クリップ１Ａの立板３背面に近づく角度とする。この厚型第２クリップ１Ｂの場合、水平板１４には、厚型第２クリップ１Ｂの水平板４のような切欠開口部５を形成するのではなく、大きな窓開口部１５を開口形成して、この窓開口部１５の両端側の残り幅部分ｂ，ｂ（図１参照）を細くすることにより、板厚の厚い水平板１４の先方延設部１４ｏを手指で一度に容易に曲げることができる。因に、この厚板の水平板１４に切欠開口部を切欠形成して、水平板１４全体が略Ｕ字状になるように形成した場合は、手指では一度で曲げることができず、その切欠開口部の両側残り幅部分を片側ずつ２度にわたって曲げなければならないため、曲げ作業が非常に面倒となる。
【００２２】
上述した野縁吊持用クリップ１によれば、第１クリップ１Ａと第２クリップ１Ｂとが野縁受け２３を挟んで互いに抱き合わさって、野縁受け２３を締め付けた状態となるから、野縁受け２３はこれと直交する野縁２４Ａ上に強固に固定され、従って地震発生時に野縁受け２３及び野縁２４Ａが激しく振動しても、野縁受け２３は倒れず、野縁２４Ａが落下するようなことがなくなる。
【００２３】
図４は本考案に係る他の野縁吊持用クリップ１１を示し、図５はその使用状態を示す。この野縁吊持用クリップ１は、前記シングル野縁２４Ａの２倍の幅（例えば５０ｍｍ）のダブル野縁２４Ｂに使用される薄型の第１クリップ１１Ａと厚型の第２クリップ１１Ｂとからなる。ダブル野縁２４Ｂ用の薄型第１クリップ１１Ａは、例えば厚みが０．６ｍｍの鋼板により形成されたもので、図４及び図５に示すように、野縁受け２３の溝開口２３ｏ側に配置され、下端部にダブル野縁２４Ｂの両リップ２４ｃ，２４ｃ裏面側に係合する係合凸部２，２を有する立板３と、この立板３の上端から野縁受け２３の上部フランジ２３ｂに当接して先方に延設され、その先方延設部４ｏを上部フランジ２３ｂの先端から下向きに折り曲げることによって野縁受け２３に係止される水平板４とからなる。この薄型第１クリップ１１Ａには、水平板４の折り曲げを容易にするために、水平板４の先端側が切欠開口する２つの切欠開口部５が形成されている。
【００２４】
また、図４及び図５に示すように、ダブル野縁２４Ｂ用の厚型第２クリップ１１Ｂは、例えば厚みが１．２ｍｍの鋼板によって形成されたもので、図５から分かるように、野縁受け２３のウエブ２３ａの溝開口２３ｏ側にウエブ２３ａを挟んで第１クリップ１１Ａの立板３と対向する位置に配置され、下端部にシングル野縁２４Ａの両リップ２４ｃ，２４ｃ裏面側に係合する係合凸部１２，１２を有する立板１３と、この立板１３の上端から、野縁受け２３の上部フランジ２３ｂに当接された第１クリップ１１Ａの水平板４の上面に当接して先方に延設され、その先方延設部１４ｏを、第１クリップ１１Ａの立板３と水平板４との外隅部から下向きに折り曲げることによって第１クリップ１１Ａを把持した状態で野縁受け２３に係止される水平板１４とからなる。この厚型第２クリップ１１Ｂには、水平板１４の折り曲げを容易にするための２つの窓開口部１５，１５が並設され、また水平板１４の両側端部の夫々中央部に切欠部１６が形成されている。また立板１３は、その外側面に隆起する補強リブ１３ａを形成している。
【００２５】
上記のような構成の野縁吊持用クリップ１１を使用してダブル野縁２４Ｂを野縁受け２３に吊持するには、先ず、薄型第１クリップ１１Ａの立板３下端部をダブル野縁２４Ｂ内に挿入し、その下端部両側にある係合凸部２，２を、野縁２４Ｂの両リップ２４ｃ，２４ｃ裏面側に係合させ、立板３を野縁受け２３の溝開口２３ｏ側に配置した状態で、水平板４を野縁受け２３の上部フランジ２３ｂに当接させて、その先方延設部４ｏを、上部フランジ２３ｂとウエブ２３ａとの外隅部から下向きに手で折り曲げて、ウエブ２３ａの背面に当接される。この時、水平板４には、その全体が平面視略Ｗ字状を成すように切欠開口部５，５が形成されているから、その先方延設部４ｏを手指で容易に折り曲げることができる。
【００２６】
それから、厚型第２クリップ１１Ｂを、薄型第１クリップ１１Ａと反対側で野縁受け２３のウエブ２３ａの背面に添うように配して、立板１３の下端部をダブル野縁２４Ｂ内に挿入し、その下端部両側にある係合凸部１２，１２を、野縁２４Ｂの両リップ２４ｃ，２４ｃ裏面側に係合させて、水平板１４を、既に野縁２４Ｂの上部フランジ２３ｂに当接されている第１クリップ１１Ａの水平板４上面に当接させた状態で、その先方延設部１４ｏを、第１クリップ１Ａの立板３と水平板４との外隅部Ｋのところから下向きに折り曲げることにより第１クリップ１１Ａを把持した状態で野縁受け２３に係止させ、それによって第１クリップ１１Ａと第２クリップ１１Ｂとを図６の(b) に示すように抱き合わせて締め付けた状態とし、この状態を図５及び図６の(a) ，(b) に示している。
【００２７】
上述した野縁吊持用クリップ１１は、図１〜図３に示す野縁吊持用クリップ１と同様、第１クリップ１１Ａと第２クリップ１１Ｂとが野縁受け２３を挟んで互いに抱き合わさって、野縁受け２３を締め付けた状態となるから、野縁受け２３はこれと直交するダブル野縁２４Ｂ上に堅固に固定され、従って地震発生時に野縁受け２３及び野縁２４Ａが激しく振動しても、野縁受け２３は倒れず、野縁２４Ｂが落下するようなことがなくなる。
【００２８】
以上、図１〜図６により説明したシングル野縁２４Ａ用クリップ１及びダブル野縁２４Ｂ用クリップ１１は、薄型の第１クリップ１Ａ，１１Ａと厚型の第２クリップ１Ｂ、１１Ｂとの組合せで、第１クリップ１Ａ，１１Ａは厚みの薄い鋼板で形成され、第２クリップ１Ｂ，１１Ｂは第１クリップ１Ａ、１１Ａよりも厚みの厚い鋼板で形成されることから、薄型の第１クリップ１Ａ，１１Ａは、厚型第２クリップ１Ｂ、１１Ｂに比べて、水平板４，１４での折り曲げ作業が容易となり、また製品コストが安く、施工費の低減化を図ることができる。一方、厚型の第２クリップ１Ｂ、１１Ｂは、薄型第１クリップ１Ａ，１１Ａに比べて曲げ強度が大きいため、この薄型第１クリップ１Ａ，１１Ａに抱き合わせても、十分に頑強なクリップ１，１１を形成することができる。
【００２９】
図７の(a) 及び(b) は本考案の更に他の野縁吊持用クリップ２１，３１を示す。先ず、(a) に示す野縁吊持用クリップ２１は、シングル野縁２４Ａ（図２参照）に使用されるもので、厚型の第１クリップ２１Ａと、これと同じ厚型の第２クリップ２１Ｂとからなる。シングル野縁２４Ａ用の厚型第１クリップ２１Ａは、例えば厚みが１．２ｍｍの鋼板によって形成されたもので、図８に示すように、野縁受け２３のウエブ２３ａの背面に沿って配置され、下端部にシングル野縁２４Ａの両リップ２４ｃ，２４ｃ裏面側に係合する係合凸部２，２を有する立板３と、この立板３の上端から野縁受け２３の上部フランジ２３ｂに当接して先方に延設され、その先方延設部４ｏを上部フランジ２３ｂの先端から下向きに折り曲げることで野縁受け２３に係止される水平板４とからなり、そしてこの厚型第１クリップ２１Ａには、水平板４の折り曲げを容易にするための大きな窓開口部１５が形成されている。
【００３０】
また図７の(a) に示すシングル野縁２４Ａ用の厚型第２クリップ２１Ｂは、厚型第１クリップ２１Ａと同じく厚みが１．２ｍｍの鋼板で形成されたもので、図８に示すように、野縁受け２３の溝開口２３ｏ側にウエブ２３ａを挟んで第１クリップ２１Ａの立板３と対向する位置に配置され、下端部にシングル野縁２４Ａの両リップ２４ｃ，２４ｃ裏面側に係合する係合凸部１２，１２を有する立板１３と、この立板１３の上端から、野縁受け２３の上部フランジ２３ｂに当接された第１クリップ２１Ａの水平板４の上面に当接して先方に延設され、その先方延設部１４ｏを、第１クリップ２１Ａの立板３と水平板４との外隅部から下向きに折り曲げることによって第１クリップ２１Ａを把持した状態で野縁受け２３に係止される水平板１４とからなり、この厚型第２クリップ２１Ｂには、水平板１４の折り曲げを容易にするための窓開口部１５が形成されている。
【００３１】
上記野縁吊持用クリップ２１を使用してシングル野縁２４Ａを野縁受け２３に吊持するには、厚型第１クリップ２１Ａの立板３下端部をシングル野縁２４Ａ内に挿入して、係合凸部２，２を、野縁２４Ａの両リップ２４ｃ，２４ｃ裏面側に係合させ、立板３を野縁受け２３のウエブ２３ａ背面に添わせた状態で、水平板４を野縁受け２３の上部フランジ２３ｂに当接させて、その先方延設部４ｏを下向きに手で折り曲げることにより野縁受け２３に係止させる。その後、厚型第２クリップ２１Ｂを、野縁受け２３の溝開口２３ｏ側に配して立板１３の下端部をシングル野縁２４Ａ内に挿入し、係合凸部１２，１２を野縁２４Ａの両リップ２４ｃ，２４ｃ裏面側に係合させて、水平板１４を第１クリップ２１Ａの水平板４上面に当接させた状態で、その先方延設部１４ｏを下向きに折り曲げることにより第１クリップ１Ａを把持した状態で野縁受け２３に係止させ、それにより第１クリップ２１Ａと第２クリップ１Ｂとを図８に示すように抱き合わせて締め付けた状態とする。
【００３２】
図７の(b) に示す野縁吊持用クリップ３１は、ダブル野縁２４Ｂ（図５参照）に使用する厚型の第１クリップ３１Ａと厚型の第２クリップ３１Ｂとからなる。厚型第１クリップ３１Ａは、例えば厚みが１．２ｍｍの鋼板により形成されたもので、図８に示すように、野縁受け２３のウエブ２３ａの背面に沿って配置され、下端部にシングル野縁２４Ａの両リップ２４ｃ，２４ｃ裏面側に係合する係合凸部２，２を有する立板３と、この立板３の上端から野縁受け２３の上部フランジ２３ｂに当接して先方に延設され、その先方延設部４ｏを下向きに折り曲げることで野縁受け２３に係止される水平板４とからなり、そしてこの厚型第１クリップ３１Ａには、水平板４の折り曲げを容易にするための窓開口部１５が二つ並設されている。厚型第２クリップ３１Ｂは、厚型第１クリップ３１Ａと同じく厚みが１．２ｍｍの鋼板で形成されたもので、図８に示すように、野縁受け２３の溝開口２３ｏ側に配置され、下端部に係合凸部１２，１２を有する立板１３と、この立板１３の上端から第１クリップ３１Ａの水平板４上面に当接して先方に延設され、その先方延設部１４ｏを下向きに折り曲げることにより第１クリップ３１Ａを把持した状態で野縁受け２３に係止される水平板１４とからなり、この厚型第２クリップ３１Ｂには、水平板１４の折り曲げを容易にするための大きな窓開口部１５が二つ並設されている。この図７の(b) に示す野縁吊持用クリップ３１の使用方法については、図８によって説明した野縁吊持用クリップ２１の場合と同様である。
【００３３】
上記野縁吊持用クリップ２１，３１は、厚型の第１クリップ２１Ａ，３１Ａと厚型の第２クリップ２１Ｂ、３１Ｂとの組合せで、第１クリップ２１Ａ，３１Ａと第２クリップ２１Ｂ、３１Ｂとは、同じ１．２ｍｍの厚みの鋼板で形成されたものであって、いずれも、厚みが０．６ｍｍの鋼板で形成されたものより曲げ強度が大きいから、第１クリップ２１Ａ，２１Ａと第２クリップ２１Ｂ、３１Ｂとを互いに抱き合わせることにより、きわめて頑強なクリップ２１，３１を形成できて、耐震強度を大幅に高めることができる。また、この野縁吊持用クリップ２１，３１では、第１クリップ２１Ａ，３１Ａと第２クリップ２１Ｂ、３１Ｂとに同じものを使用することが可能で、使用の際に１同じクリップを二つ抱き合わせればよいから、使用上きわめて便利である。尚、図示は省略するが、薄型の第１クリップと薄型の第２クリップとの組合せで野縁吊持用クリップを形成してもよい。
【符号の説明】
【００３４】
１            野縁吊持用クリップ
１１          野縁吊持用クリップ
２１          野縁吊持用クリップ
３１          野縁吊持用クリップ
１Ａ          第１クリップ
１１Ａ        第１クリップ
２１Ａ        第１クリップ
３１Ａ        第１クリップ
１Ｂ          第２クリップ
１１Ｂ        第２クリップ
２１Ｂ        第２クリップ
３１Ｂ        第２クリップ
２，１２      係合凸部
３，１３      立板
４，１４      水平板
４ｏ，１４ｏ  水平板の先方延設部
５            切欠開口部
１５          窓開口部
２３          野縁受け
２３ａ        野縁受けのウエブ
２３ｂ        野縁受けのフランジ
２４Ａ        シングル野縁
２４Ｂ        ダブル野縁
２４ｃ        野縁のリップ
【図１】
0003181768.tif 000003
【図２】
0003181768.tif 000004
【図３】
0003181768.tif 000005
【図４】
0003181768.tif 000006
【図５】
0003181768.tif 000007
【図６】
0003181768.tif 000008
【図７】
0003181768.tif 000009
【図８】
0003181768.tif 000010
【図９】
0003181768.tif 000011
【図１０】
0003181768.tif 000012